(57)【要約】【課題】  ライン側インタフェース（Ｉ／Ｆ）の伝送速度を制御可能な光伝送装置において、ライン側Ｉ／Ｆの伝送容量に適合した数のクライアント側Ｉ／Ｆをライン側Ｉ／Ｆに接続可能とする技術を提供する。【解決手段】本発明の光伝送装置は、複数のクライアント側Ｉ／Ｆ及び複数のライン側Ｉ／Ｆと、それらの間に設けられたクロスコネクトスイッチとを備える。光伝送装置は、クロスコネクトスイッチを介して特定のライン側Ｉ／Ｆに接続されるクライアント側Ｉ／Ｆの数を増加または減少させる際に、増加または減少後に当該特定のライン側Ｉ／Ｆに接続されるクライアント側Ｉ／Ｆに対応するクライアント信号が、当該特定のライン側Ｉ／Ｆに対応するライン信号に収容可能となるように、クロスコネクトスイッチの接続状態と、ライン側Ｉ／Ｆの伝送速度とを制御する。【選択図】図３
2014192739.tif 000002
【特許請求の範囲】
【請求項１】
光伝送装置であって、
それぞれが、クライアント側の対応する対向装置との間で、クライアント信号を送信または受信する複数のクライアント側インタフェース（Ｉ／Ｆ）と、
それぞれが、ライン側の対応する対向装置との間で、前記複数のクライアント側Ｉ／Ｆに対応する複数のクライアント信号のうちの少なくとも１つを収容したライン信号を送信または受信する複数のライン側Ｉ／Ｆと、
前記複数のクライアント側Ｉ／Ｆと前記複数のライン側Ｉ／Ｆとの間に設けられ、各クライアント側Ｉ／Ｆと各ライン側Ｉ／Ｆとの接続状態をスイッチングするクロスコネクトスイッチと、
前記クロスコネクトスイッチを介して特定のライン側Ｉ／Ｆに接続されるクライアント側Ｉ／Ｆの数を増加または減少させる際に、当該増加または減少後に前記特定のライン側Ｉ／Ｆに接続されるクライアント側Ｉ／Ｆに対応するクライアント信号が、前記特定のライン側Ｉ／Ｆに対応するライン信号に収容可能となるように、前記接続状態と前記特定のライン側Ｉ／Ｆの伝送速度とを制御する制御手段と
を備えることを特徴とする光伝送装置。
【請求項２】
前記制御手段は、
前記特定のライン側Ｉ／Ｆに接続されるクライアント側Ｉ／Ｆの数を増加させる際に、当該増加後に前記特定のライン側Ｉ／Ｆに接続されるクライアント側Ｉ／Ｆに対応するクライアント信号を前記特定のライン側Ｉ／Ｆに対応するライン信号に収容可能か否かを判定する判定手段を備え、
収容不可能であると前記判定手段が判定した場合には、前記特定のライン側Ｉ／Ｆに接続されるクライアント側Ｉ／Ｆの数を増加させず、
収容可能であると前記判定手段が判定した場合には、前記特定のライン側Ｉ／Ｆの伝送速度を増加させるとともに、増加対象のクライアント側Ｉ／Ｆを前記特定のライン側Ｉ／Ｆに接続させる
ことを特徴とする請求項１に記載の光伝送装置。
【請求項３】
前記判定手段は、
前記増加後に前記特定のライン側Ｉ／Ｆに接続されるクライアント側Ｉ／Ｆに対応する総容量が、前記特定のライン側Ｉ／Ｆに対して予め定められた最大容量以下である場合には、前記対応するクライアント信号を前記ライン信号に収容可能であると判定し、前記最大容量を上回る場合には、収容不可能であると判定することを特徴とする請求項２に記載の光伝送装置。
【請求項４】
前記総容量は、前記増加後に前記特定のライン側Ｉ／Ｆに接続されるクライアント側Ｉ／Ｆに対応するクライアント信号の伝送速度の総和であり、
前記最大容量は、前記特定のライン側Ｉ／Ｆにおけるライン信号の最大伝送速度である
ことを特徴とする請求項３に記載の光伝送装置。
【請求項５】
前記複数のライン側Ｉ／Ｆはそれぞれ、前記クロスコネクトスイッチが備える少なくとも１つのポートと接続されており、
前記総容量は、前記増加後に前記特定のライン側Ｉ／Ｆに接続されるクライアント側Ｉ／Ｆの数であり、
前記最大容量は、前記特定のライン側Ｉ／Ｆが接続されている前記クロスコネクトスイッチのポート数である
ことを特徴とする請求項３に記載の光伝送装置。
【請求項６】
前記複数のライン側Ｉ／Ｆはそれぞれ、前記クロスコネクトスイッチが備える少なくとも１つのポートと接続されており、
前記判定手段は、前記増加後に前記特定のライン側Ｉ／Ｆに接続されるクライアント側Ｉ／Ｆに対応するクライアント信号の伝送速度の総和が、前記特定のライン側Ｉ／Ｆに対して予め定められた最大伝送速度以下であり、かつ、前記増加後に前記特定のライン側Ｉ／Ｆに接続されるクライアント側Ｉ／Ｆの数が、前記特定のライン側Ｉ／Ｆが接続されている前記クロスコネクトスイッチのポート数以下である場合には、前記対応するクライアント信号を前記ライン信号に収容可能であると判定し、それ以外の場合には、収容不可能であると判定する
ことを特徴とする請求項２に記載の光伝送装置。
【請求項７】
前記制御手段は、
前記対応するクライアント信号を前記ライン信号に収容不可能であると前記判定手段が判定すると、更に、前記特定のライン側Ｉ／Ｆに接続するクライアント側Ｉ／Ｆの数を増加不可能であることを示す警報を外部に出力することを特徴とする請求項２乃至６のいずれか１項に記載の光伝送装置。
【請求項８】
前記制御手段は、
前記特定のライン側Ｉ／Ｆに接続されるクライアント側Ｉ／Ｆの数を減少させる際には、減少対象のクライアント側Ｉ／Ｆと前記特定のライン側Ｉ／Ｆとの接続を解放させるとともに、前記特定のライン側Ｉ／Ｆの伝送速度を減少させることを特徴とする請求項１乃至７のいずれか１項に記載の光伝送装置。
【請求項９】
前記制御手段は、
前記特定のライン側Ｉ／Ｆが送信または受信するライン信号についての変調多値数を制御することによって、前記特定のライン側Ｉ／Ｆの伝送速度を制御することを特徴とする請求項１乃至８のいずれか１項に記載の光伝送装置。
【発明の詳細な説明】
【技術分野】
【０００１】
本発明は、光通信分野における光伝送装置に関する。
【背景技術】
【０００２】
近年、信号光の変復調にデジタル信号処理を用いるデジタルコヒーレント光伝送技術の研究開発が精力的に進められている。デジタルコヒーレント光伝送技術では、ハードウェアの変更無しにプログラマブルな電子回路を活用して、種々の多値度の信号光を生成する変復調を実行可能である。そのため、デジタルコヒーレント光伝送技術は、多値信号光の多値度を制御することに適した伝送方式であるといえる。
【０００３】
また、近年では、多値信号光の多値度を制御することで、伝送容量を増減させる伝送技術が提案されている（非特許文献１）。このような技術により、複数のクライアント信号を多重してライン信号に収容する機能（非特許文献２）を有する光伝送装置で、ライン信号に収容するクライアント信号の量に応じて、ライン側インタフェース（Ｉ／Ｆ）の信号光ビットレートを適応的に調整することが可能になる。
【先行技術文献】
【非特許文献】
【０００４】
【非特許文献１】H. Y. Choi, T. Tsuritani, I. Morita,“Multi-format and multi-rate transmitter for flexible and elastic optical networks,”OECC2012, 6B4-3.
【非特許文献２】ITU-T Recommendation G.709, ”Interfaces for the Optical Transport Network (OTN),”2012.
【発明の概要】
【発明が解決しようとする課題】
【０００５】
しかしながら、従来の光伝送装置では、ライン側Ｉ／Ｆの信号光ビットレート（伝送速度）を増加させたとしても、その伝送速度に適合した数のクライアント側Ｉ／Ｆをライン側Ｉ／Ｆに接続することができないという課題がある。
【０００６】
本発明は、上述の課題に鑑みてなされたものである。本発明は、ライン側Ｉ／Ｆの伝送速度を制御可能な光伝送装置において、ライン側Ｉ／Ｆの伝送容量に適合した数のクライアント側Ｉ／Ｆをライン側Ｉ／Ｆに接続可能とする技術を提供することを目的としている。
【課題を解決するための手段】
【０００７】
本発明は、例えば光伝送装置として実現できる。本発明の一態様の係る光伝送装置は、それぞれが、クライアント側の対応する対向装置との間で、クライアント信号を送信または受信する複数のクライアント側インタフェース（Ｉ／Ｆ）と、それぞれが、ライン側の対応する対向装置との間で、前記複数のクライアント側Ｉ／Ｆに対応する複数のクライアント信号のうちの少なくとも１つを収容したライン信号を送信または受信する複数のライン側Ｉ／Ｆと、前記複数のクライアント側Ｉ／Ｆと前記複数のライン側Ｉ／Ｆとの間に設けられ、各クライアント側Ｉ／Ｆと各ライン側Ｉ／Ｆとの接続状態をスイッチングするクロスコネクトスイッチと、前記クロスコネクトスイッチを介して特定のライン側Ｉ／Ｆに接続されるクライアント側Ｉ／Ｆの数を増加または減少させる際に、当該増加または減少後に前記特定のライン側Ｉ／Ｆに接続されるクライアント側Ｉ／Ｆに対応するクライアント信号が、前記特定のライン側Ｉ／Ｆに対応するライン信号に収容可能となるように、前記接続状態と前記特定のライン側Ｉ／Ｆの伝送速度とを制御する制御手段とを備えることを特徴とする。
【発明の効果】
【０００８】
本発明によれば、ライン側Ｉ／Ｆの伝送速度を制御可能な光伝送装置において、ライン側Ｉ／Ｆの伝送容量に適合した数のクライアント側Ｉ／Ｆをライン側Ｉ／Ｆに接続可能となる。また、ライン側Ｉ／Ｆの伝送容量に適合した数のクライアント側Ｉ／Ｆをライン側Ｉ／Ｆに収容可能となるため、ライン側のリンク利用率を向上させることが可能となる。
【図面の簡単な説明】
【０００９】
【図１】本発明の実施形態に係る光伝送装置における送信側の構成を示すブロック図。
【図２】本発明の実施形態に係る光伝送装置における受信側の構成を示すブロック図。
【図３】本発明の実施形態に係る光伝送装置における、ライン側インタフェース（Ｉ／Ｆ）に接続するクライアント側Ｉ／Ｆを増加または減少させる際の制御手順を示すフローチャート。
【図４】光伝送装置における送信側の具体的な構成例を示すブロック図。
【図５】光伝送装置における受信側の具体的な構成例を示すブロック図。
【発明を実施するための形態】
【００１０】
以下、本発明の例示的な実施形態について図面を参照して説明する。なお、以下の各図においては、実施形態の説明に必要ではない構成要素については図から省略する。
【００１１】
＜光伝送装置の構成＞
まず、図１乃至図３を参照して、本発明の実施形態に係る基本概念について説明する。図１及び図２は、それぞれ、本実施形態に係る光伝送装置における送信側及び受信側の構成を示すブロック図である。図１及び図２に示すように、光伝送装置１００は、送信側及び受信側において同様の構成を備えている。
【００１２】
光伝送装置１００は、送信側の構成（図１）として、ｋ（ｋは１以上の整数）個のクライアント側インタフェース（Ｉ／Ｆ）１０２−１〜ｋ、クロスコネクトスイッチ１０１、ｎ（ｎは１以上の整数）個のライン側Ｉ／Ｆ １０３−１〜ｎ、制御部１１０、及び通信部１２０を備える。また、光伝送装置１００は、受信側の構成（図２）として、ｋ個のクライアント側Ｉ／Ｆ ２０２−１〜ｋ、クロスコネクトスイッチ２０１、ｎ個のライン側Ｉ／Ｆ ２０３−１〜ｎ、制御部１１０、及び通信部１２０を備える。このように、光伝送装置１００では、送信側及び受信側に対して共通する制御部１１０及び通信部１２０が設けられている。
【００１３】
なお、図１における「送信側」及び「受信側」とは、ライン側Ｉ／Ｆ １０３−１〜ｎと、当該ライン側Ｉ／Ｆ １０３−１〜ｎにそれぞれ接続された対向装置（光伝送装置）との間の通信に対応している。即ち、光伝送装置１００からライン側の対向装置への通信に対応する構成を「送信側」、ライン側の対向装置から光伝送装置１００への通信に対応する構成を「受信側」としている。
【００１４】
（クライアント側Ｉ／Ｆ）
ｋ個のクライアント側Ｉ／Ｆ １０２−１〜ｋ（２０２−１〜ｋ）は、クロスコネクトスイッチ１０１（２０１）に接続されている。クライアント側Ｉ／Ｆ １０２−１〜ｋ及びクライアント側Ｉ／Ｆ ２０２−１〜ｋは、それぞれ、クライアント側の対応する対向装置（クライアント装置）との間で、クライアント信号を受信及び送信する。クライアント側Ｉ／Ｆ １０２−１〜ｋは、対向装置から受信し、クロスコネクトスイッチ１０１に送信する信号のフォーマットを、クライアント信号のフォーマットからクロスコネクトスイッチ１０１が取り扱う信号フォーマットに変換する機能を有する。また、クライアント側Ｉ／Ｆ ２０２−１〜ｋは、クロスコネクトスイッチ２０１から受信し、対向装置に送信する信号のフォーマットを、クロスコネクトスイッチ２０１が取り扱う信号フォーマットからクライアント信号のフォーマットに変換する機能を有する。
【００１５】
（クロスコネクトスイッチ）
クロスコネクトスイッチ１０１（２０１）は、図１（図２）に示すように、クライアント側Ｉ／Ｆ １０２−１〜ｋ（２０２−１〜ｋ）と、ライン側Ｉ／Ｆ １０３−１〜ｎ（２０３−１〜ｎ）との間に設けられている。クロスコネクトスイッチ１０１（２０１）のライン側には、ｎ個のライン側Ｉ／Ｆ １０３−１〜ｎ（２０３−１〜ｎ）が接続されている。
【００１６】
ライン側Ｉ／Ｆ １０３−１〜ｎ（２０３−１〜ｎ）のそれぞれは、クロスコネクトスイッチ１０１（２０１）が備える少なくとも１つのポートと接続されている。本実施形態では、ライン側Ｉ／Ｆ １０３−１〜ｎ（２０３−１〜ｎ）は、それぞれ、クロスコネクトスイッチが備えるｍx個（ｍxは１以上の整数、ｘは１〜ｎの整数）のポートと接続されている。ライン側Ｉ／Ｆはｎ個存在するため、クロスコネクトスイッチ１０１（２０１）のライン側のポート数は、ｍx（ｘ＝１，２，...，ｎ）の総和となる。
【００１７】
クロスコネクトスイッチ１０１（２０１）は、信号をある入力ポートからある出力ポートへとスイッチングする機能を有する。クロスコネクトスイッチ１０１（２０１）は、いずれの入力ポートからの信号でも、任意の出力ポートにスイッチング可能である。このように、クロスコネクトスイッチ１０１（２０１）は、各クライアント側Ｉ／Ｆと各ライン側Ｉ／Ｆとの接続状態をスイッチングする機能を有する。
【００１８】
（ライン側Ｉ／Ｆ）
ライン側Ｉ／Ｆ １０３−１〜ｎ及びライン側Ｉ／Ｆ ２０３−１〜ｎは、それぞれ、ライン側の対応する対向装置（光伝送装置）との間で、ライン信号を送信及び受信する。ライン側Ｉ／Ｆ ２０３−１〜ｎは、対向装置から受信し、クロスコネクトスイッチ２０１に送信する信号のフォーマットを、ライン信号のフォーマットからクロスコネクトスイッチ２０１が取り扱う信号フォーマットに変換する機能を有する。また、ライン側Ｉ／Ｆ １０３−１〜ｎは、クロスコネクトスイッチ１０１から受信し、対向装置に送信する信号のフォーマットを、クロスコネクトスイッチ１０１が取り扱う信号フォーマットからライン信号のフォーマットに変換する機能を有する。
【００１９】
ライン側Ｉ／Ｆ １０３−１〜ｎ（２０３−１〜ｎ）は、更に、複数のクライアント信号を多重してライン信号に収容する機能を有する。ライン側Ｉ／Ｆ １０３−１〜ｎ（２０３−１〜ｎ）には、クロスコネクトスイッチ１０１（２０１）を介して、少なくとも１つのクライアント側Ｉ／Ｆが接続される。ライン側Ｉ／Ｆ １０３−１〜ｎ（２０３−１〜ｎ）は、クライアント側Ｉ／Ｆ ２０１−１〜ｋ（２０１〜ｋ）に対応するクライアント信号のうち、接続されるクライアント側Ｉ／Ｆに対応するクライアント信号を収容したライン信号を送信（受信）する。なお、ライン側Ｉ／Ｆ ２０３−１〜ｎは、対向装置から受信したライン信号に収容された各クライアント信号を取り出して、クロスコネクトスイッチ１０１を介して接続された、当該クライアント信号に対応するクライアント側Ｉ／Ｆに送信する。
【００２０】
ライン側Ｉ／Ｆ １０３−１〜ｎ（２０３−１〜ｎ）は、ライン信号に収容するクライアント信号の量に応じて、ライン信号の伝送速度を可変に制御できる。ライン信号の伝送速度の制御は、ライン信号の多値度（変調多値数）を制御することによって実現できる。図１では、ライン側Ｉ／Ｆ １０３−１〜ｎ（２０３−１〜ｎ）はそれぞれ、クロスコネクトスイッチ１０１（２０１）のｍx個（ｘは１〜ｎの整数）のポートに接続されているため、ｍx個のクライアント側Ｉ／Ｆからの接続を収容可能である。即ち、ライン側Ｉ／Ｆ １０３−１〜ｎ（２０３−１〜ｎ）はそれぞれ、ｍx個のクライアント信号をライン信号に収容したライン信号を、対向装置との間で送信（受信）可能である。
【００２１】
なお、以下では、例えば「ライン側Ｉ／Ｆがクライアント側Ｉ／Ｆを収容する」と記載した場合、以下を意味するものとする。即ち、ライン側Ｉ／Ｆが、クライアント側Ｉ／Ｆからの接続を収容し、かつ、当該クライアント側Ｉ／Ｆが送受信する（即ち、当該クライアント側Ｉ／Ｆに対応する）クライアント信号を収容したライン信号を取り扱うことを意味するものとする。
【００２２】
（制御部）
制御部１１０は、上述の、クライアント側Ｉ／Ｆ １０２−１〜ｋ及び２０２−１〜ｋ、クロスコネクトスイッチ１０１及び２０１、並びにライン側Ｉ／Ｆ １０３−１〜ｎ及び２０３−１〜ｎを（図３を用いて後述するように）制御する機能を有する。
【００２３】
（通信部）
通信部１２０は、外部のネットワーク（ＮＷ）管理システムからの命令を受信して、受信した命令を制御部１１０に伝える機能を有する。また、通信部１２０は、制御部１１０から出力された警報を外部（ＮＷ管理システム等）に出力する機能を有する。
【００２４】
このように、光伝送装置１００は、ライン側Ｉ／Ｆ １０３−１〜ｎ（２０３−１〜ｎ）の伝送速度を制御可能な光伝送装置の一例である。このような光伝送装置１００では、例えば、上述のように、ライン側Ｉ／Ｆの伝送速度に適合した数のクライアント側Ｉ／Ｆを、当該ライン側Ｉ／Ｆに接続可能にする必要がある。より具体的には、（特定の）ライン側Ｉ／Ｆに接続するクライアント側Ｉ／Ｆの数を増加させる場合でも、ライン側Ｉ／Ｆが有する（伝送速度、接続ポート数等の）容量の範囲内で、接続するクライアント側Ｉ／Ｆの数を適切に制御する必要がある。
【００２５】
これを達成するために、本実施形態では、制御部１１０は、クロスコネクトスイッチ１０１を介して特定のライン側Ｉ／Ｆに接続されるクライアント側Ｉ／Ｆの数を増加または減少させる際に、クロスコネクトスイッチ１０１の接続状態と、ライン側Ｉ／Ｆ １０３−１〜ｎの伝送速度とを、以下のように制御する。具体的には、制御部１１０は、増加または減少後に当該特定のライン側Ｉ／Ｆに接続されるクライアント側Ｉ／Ｆに対応するクライアント信号が、当該特定のライン側Ｉ／Ｆに対応するライン信号に収容可能となるように、制御を行う。なお、制御部１１０は、送信側だけでなく、受信側のクロスコネクトスイッチ２０１等についても、同様に制御すればよい。
【００２６】
＜光伝送装置における制御手順＞
以下では、図３を参照して、本実施形態に係る光伝送装置１００における、制御部１１０による具体的な制御について説明する。なお、光伝送装置１００内の装置内の送信Ｉ／Ｆと受信Ｉ／Ｆは対をなしているものとする。即ち、制御部１１０は、送信側（図１）と受信側（図２）とで、各構成要素を同様に制御する。このため、以下では、送信側の制御について説明するが、受信側の制御についても同様である。
【００２７】
制御部１１０は、光伝送装置１００が起動して動作を開始すると、Ｓ３０１に処理を進める。Ｓ３０１で、制御部１１０は、通信部１２０を介して外部から受信される命令に基づいて、ライン側Ｉ／Ｆ １０３−１〜ｎに接続するクライアント側Ｉ／Ｆ １０２−１〜ｋの数の増減に関する命令を確認する。なお、本実施形態では、ＮＷ管理システムからそのような命令が受信される場合を一例として想定している。また、受信された命令が示す、対象とする特定のライン側Ｉ／Ｆの番号をα（αは１〜ｎの整数）とし、当該ライン側Ｉ／Ｆに接続されるクライアント側Ｉ／Ｆ数をβ（βは０〜ｋの整数）とする。
【００２８】
Ｓ３０１で、制御部１１０は、受信された命令に基づいて、クロスコネクトスイッチ１０１を介してライン側Ｉ／Ｆ １０３−αに接続されるクライアント側Ｉ／Ｆの数βを、減少させる場合にはＳ３０４へ、増加させる場合にはＳ３０２へ、処理を進める。また、Ｓ３０１で、制御部１１０は、命令自体を受信していない場合には、命令を受信するまでＳ３０１で待機する（判定処理を繰り返す）。
【００２９】
（ライン側Ｉ／Ｆに接続するクライアント側Ｉ／Ｆの数を増加させる場合）
Ｓ３０２で、制御部１１０は、ライン側Ｉ／Ｆ １０３−αに、増加後のβ個のクライアント側Ｉ／Ｆを収容可能か否かを判定し、収容可能な場合にはＳ３０６へ、収容不可能な場合にはＳ３０３へ、処理を進める。即ち、制御部１１０は、増加後にライン側Ｉ／Ｆ １０３−αに接続されるβ個のクライアント側Ｉ／Ｆに対応するクライアント信号を、当該ライン側Ｉ／Ｆに対応するライン信号に収容可能か否かを判定する。
【００３０】
より具体的には、制御部１１０は、増加後にライン側Ｉ／Ｆ １０３−αに接続されるβ個のクライアント側Ｉ／Ｆに対応する総容量が、当該ライン側Ｉ／Ｆに対して予め定められた最大容量以下であるかを判定する。ここで、総容量は、増加後にライン側Ｉ／Ｆ １０３−αに接続されるβ個のクライアント側Ｉ／Ｆに対応するクライアント信号の伝送速度の総和（ＢＷclient_β）に相当する。また、最大容量は、ライン側Ｉ／Ｆ １０３−αにおけるライン信号の最大伝送速度（ＢＷline_α）に相当する。なお、ライン側Ｉ／Ｆ １０３−αの最大伝送速度は、例えば、光伝送装置１００の工場出荷時に予め初期値として設定される。
【００３１】
制御部１１０は、Ｓ３０２で、ライン側Ｉ／Ｆ １０３−αに、β個のクライアント側Ｉ／Ｆを収容する容量が不足している場合（ＢＷline_α＜ＢＷclient_β）、収容不可能であると判定する。一方、制御部１１０は、ライン側Ｉ／Ｆ １０３−αにβ個のクライアント側Ｉ／Ｆを収容する容量がある場合（ＢＷline_α≧ＢＷclient_β）、収容可能であると判定する。このような判定処理により、制御部１１０は、ライン側Ｉ／Ｆ １０３−αの最大伝送速度の範囲内で、β個のクライアント側Ｉ／Ｆを当該ライン側Ｉ／Ｆに収容可能か否かを判定する。
【００３２】
なお、後述する実施例２で示すように、Ｓ３０２の判定処理に用いる総容量を、増加後にライン側Ｉ／Ｆ １０３−αに接続されるクライアント側Ｉ／Ｆの数（β）とし、最大容量を、ライン側Ｉ／Ｆ １０３−αが接続されているクロスコネクトスイッチ１０１のポート数（ｍα）としてもよい。即ち、クロスコネクトスイッチ１０１を介してライン側Ｉ／Ｆ １０３−αに収容可能（接続可能な）クライアント側Ｉ／Ｆの数（回線数）に相当する容量を、Ｓ３０２の判定処理に用いてもよい。これにより、制御部１１０は、ライン側Ｉ／Ｆ １０３−αに接続可能なクライアント側Ｉ／Ｆ数の範囲内で、β個のクライアント側Ｉ／Ｆを当該ライン側Ｉ／Ｆに収容可能か否かを判定する。
【００３３】
Ｓ３０２からＳ３０３へ処理を進めた場合、制御部１１０は、ライン側Ｉ／Ｆ １０３−αに、クライアント側Ｉ／Ｆを新たに収容するための容量が不足していることを示す警報を、通信部１２０を介して外部（ここではＮＷ管理システム）に出力する。即ち、当該警報は、ライン側Ｉ／Ｆ １０３−αに接続するクライアント側Ｉ／Ｆの数を増加不可能であることを示す。制御部１１０は、警報の出力後、処理をＳ３０１に戻す。
【００３４】
一方、Ｓ３０２からＳ３０６へ処理を進めた場合、制御部１１０は、ライン側Ｉ／Ｆ １０３−αの伝送速度を増加させる。具体的には、制御部１１０は、ＢＷline_α以下で、かつ、ＢＷclient_β以上の伝送速度となるように、ライン側Ｉ／Ｆ １０３−αの伝送速度を設定する。更に、Ｓ３０７で、制御部１１０は、ライン側Ｉ／Ｆ １０３−αと新たに接続する、増加対象のクライアント側Ｉ／Ｆを、クロスコネクトスイッチ１０１によって接続させる。その際、制御部１１０は、クロスコネクトスイッチ１０１に対して、ライン側Ｉ／Ｆ １０３−αに新たに接続すべきクライアント側Ｉ／Ｆの番号（１〜ｋ）を指定すればよい。その後、制御部１１０は処理をＳ３０１に戻す。
【００３５】
（ライン側Ｉ／Ｆに接続するクライアント側Ｉ／Ｆの数を減少させる場合）
Ｓ３０４で、制御部１１０は、減少対象のクライアント側Ｉ／Ｆと、ライン側Ｉ／Ｆ １０３−αとの接続を、クロスコネクトスイッチ１０１によって解放させる。その際、制御部１１０は、クロスコネクトスイッチ１０１に対して、ライン側Ｉ／Ｆ １０３−αとの接続を解放すべきクライアント側Ｉ／Ｆの番号（１〜ｋ）を指定すればよい。更に、Ｓ３０５で、制御部１１０は、ライン側Ｉ／Ｆ １０３−αの伝送速度を減少させる。例えば、制御部１１０は、接続を解放したクライアント側Ｉ／Ｆに対応するクライアント信号の伝送速度に相当する分、ライン側Ｉ／Ｆ １０３−αの伝送速度を減少させればよい。その後、制御部１１０は処理をＳ３０１に戻す。
【００３６】
［実施例１］
次に、上述した実施形態に対する具体的な実施例として、図３乃至図５を参照して、実施例１及び２について説明する。図４は、光伝送装置１００の送信側の構成例、図５は、光伝送装置１００の受信側の構成例を示している。実施例１及び２のいずれも、光伝送装置１００が、６個のクライアント側Ｉ／Ｆ １０２−１〜６及び４個のライン側Ｉ／Ｆ １０３−１〜４を備え、ライン側Ｉ／Ｆ １０３−１に対して接続するクライアント側Ｉ／Ｆの数を段階的に増加させていく例について示す。具体的には、制御部１１０は、
（１）クライアント側Ｉ／Ｆ １０２−１及び１０２−２
（２）クライアント側Ｉ／Ｆ １０２−３及び１０２−４
（３）クライアント側Ｉ／Ｆ １０２−５
の順に、ライン側Ｉ／Ｆ １０３−１に対して接続するクライアント側Ｉ／Ｆの数を増加させることを試みる。なお、以下では、送信側（図４）の制御について説明するが、受信側（図５）の制御についても同様である。
【００３７】
ここで、ライン側Ｉ／Ｆ １０３−１の最大伝送速度をＢＷline_1とする。このため、制御部１１０は、ライン側Ｉ／Ｆ １０３−１の最大伝送速度（ＢＷline_1）の範囲内で、クライアント側Ｉ／Ｆ １０２−１〜６をライン側Ｉ／Ｆ １０３−１に収容可能である。また、図４及び図５に示すように、ライン側Ｉ／Ｆ １０３−１が接続されているクロスコネクトスイッチ１０１のポート数は４である。このため、制御部１１０は、最大で４個の範囲内で、クライアント側Ｉ／Ｆ １０２−１〜６をライン側Ｉ／Ｆ １０３−１に収容可能である。
【００３８】
（１）クライアント側Ｉ／Ｆ １０２−１及び１０２−２の接続
まず、制御部１１０は、クライアント側Ｉ／Ｆ １０２−１及び１０２−２をライン側Ｉ／Ｆ １０３−１に接続すべきことを示す命令を、ＮＷ管理システムから受信する。この場合、制御部１１０は、図３のフローチャートに従って、以下のように処理を実行する。
【００３９】
Ｓ３０１で、制御部１１０は、受信された上記命令に基づいて、クロスコネクトスイッチ１０１を介してライン側Ｉ／Ｆ １０３−１に接続されるクライアント側Ｉ／Ｆの数を増加させると判定し、処理をＳ３０２に進める。
【００４０】
Ｓ３０２で、制御部１１０は、ライン側Ｉ／Ｆ １０３−１に、増加後の２個のクライアント側Ｉ／Ｆ １０２−１及び１０２−２を収容可能か否かを判定する。ここでは、クライアント側Ｉ／Ｆ １０２−１及び１０２−２に対応するクライアント信号の伝送速度の総和がＢＷline_1以下であるものとする。その結果、制御部１１０は、ライン側Ｉ／Ｆ １０３−１にクライアント側Ｉ／Ｆ １０２−１及び１０２−２を収容可能であると判定し、処理をＳ３０６に進める。
【００４１】
Ｓ３０６で、制御部１１０は、ライン側Ｉ／Ｆ １０３−１の伝送速度を増加させ、クライアント側Ｉ／Ｆ １０２−１及び１０２−２に対応するクライアント信号をライン信号に収容可能な伝送速度に設定する。更に、Ｓ３０７で、制御部１１０は、クライアント側Ｉ／Ｆ １０２−１及び１０２−２を、クロスコネクトスイッチ１０１によって、ライン側Ｉ／Ｆ１ ０３−１と接続させる。その後、制御部１１０は、処理をＳ３０１に戻す。
【００４２】
なお、制御部１１０は、Ｓ３０７では、ライン側Ｉ／Ｆ １０３−１に接続された、クロスコネクトスイッチ１０１が有するポートのうち、未使用のポートを使用して、クライアント側Ｉ／Ｆ １０２−１及び１０２−２とライン側Ｉ／Ｆ １０３−１とを接続すればよい。ここでは、クロスコネクトスイッチ１０１のポート１〜４はいずれも未使用であるため、ポート１及び２を使用して、クライアント側Ｉ／Ｆ １０２−１及び１０２−２とライン側Ｉ／Ｆ １０３−１とを接続させるものとする。
【００４３】
（２）クライアント側Ｉ／Ｆ １０２−３及び１０２−４の接続
次に、制御部１１０は、クライアント側Ｉ／Ｆ １０２−３及び１０２−４をライン側Ｉ／Ｆ １０３−１に接続すべきことを示す命令を、ＮＷ管理システムから受信する。ここでは、クライアント側Ｉ／Ｆ １０２−３については、ライン側Ｉ／Ｆ １０３−１に新たに収容可能であるものとする。この場合、制御部１１０は、Ｓ３０６で、ライン側Ｉ／Ｆ １０３−１の伝送速度を、クライアント側Ｉ／Ｆ １０２−１〜３に対応するクライアント信号をライン信号に収容可能な伝送速度に設定する。即ち、ライン側Ｉ／Ｆ １０３−１の伝送速度を、既に収容しているクライアントＩ／Ｆ １０２−１及び１０２−２に対応するクライアント信号に加えて、クライアント側Ｉ／Ｆ １０２−３に対応するクライアント信号をライン信号に収容可能な伝送速度に設定する。更に、制御部１１０は、Ｓ３０７で、クライアント側Ｉ／Ｆ １０２−３を、クロスコネクトスイッチ１０１のポート３を使用してライン側Ｉ／Ｆ １０３−１に接続させる。その後、制御部１１０は、処理をＳ３０１に戻す。
【００４４】
一方、クライアント側Ｉ／Ｆ １０２−４については、ライン側Ｉ／Ｆ １０３−１に新たに収容不可能であるものとする。具体的には、クライアント側Ｉ／Ｆ １０２−１〜４に対応するクライアント信号の伝送速度の総和がＢＷline_1を上回るものとする。その結果、制御部１１０は、ライン側Ｉ／Ｆ １０３−１にクライアント側Ｉ／Ｆ １０２−４を収容不可能であると判定し、処理をＳ３０３に進める。
【００４５】
Ｓ３０３で、制御部１１０は、ライン側Ｉ／Ｆ １０３−１に、クライアント側Ｉ／Ｆ １０２−４を新たに収容するための容量が不足していることを示す警報を、通信部１２０を介してＮＷ管理システムに出力し、処理をＳ３０１に戻す。なお、クライアント側Ｉ／Ｆ １０２−５をライン側Ｉ／Ｆ １０３−１に接続すべきことを示す命令をＮＷ管理システムからその後に受信した場合にも、ライン側Ｉ／Ｆ １０３−１の容量不足に起因して、上述のクライアント側Ｉ／Ｆ １０２−４の場合と同様の処理が行われるものとする。
【００４６】
本実施例では、ライン側Ｉ／Ｆ １０３−１に接続するクライアント側Ｉ／Ｆの数を増加させる場合に、ライン側Ｉ／Ｆ １０３−１の最大伝送速度に基づいて、接続するクライアント側Ｉ／Ｆの数を制御する。これにより、ライン側Ｉ／Ｆの伝送速度に適合した数のクライアント側Ｉ／Ｆを、ライン側Ｉ／Ｆに接続可能となる。また、ライン側Ｉ／Ｆの伝送速度に適合した数のクライアント側Ｉ／Ｆをライン側Ｉ／Ｆに収容可能となるため、ライン側のリンク利用率を向上させることが可能となる。
【００４７】
［実施例２］
実施例２では、ライン側Ｉ／Ｆ １０３−１に接続するクライアント側Ｉ／Ｆの数を増加させる場合に、ライン側Ｉ／Ｆ １０３−１が有する容量として、ライン側Ｉ／Ｆ １０３−１に収容可能なクライアント側Ｉ／Ｆの数（回線数）に基づいて、接続するクライアント側Ｉ／Ｆの数を制御する例について説明する。本実施例では、ライン側Ｉ／Ｆ １０３−１が接続されているクロスコネクトスイッチ１０１の全ポートを使用した場合にも、ライン側Ｉ／Ｆ １０３−１の最大伝送速度（ＢＷline_1）の範囲内で、ライン信号の伝送速度を制御できるものとしている。なお、説明の簡略化のため、実施例１と共通する部分については説明を省略しうる。
【００４８】
（１）クライアント側Ｉ／Ｆ １０２−１及び１０２−２の接続
まず、制御部１１０は、クライアント側Ｉ／Ｆ １０２−１及び１０２−２をライン側Ｉ／Ｆ １０３−１に接続すべきことを示す命令を、ＮＷ管理システムから受信する。ここで、ライン側Ｉ／Ｆ １０３−１に接続されるクライアント側Ｉ／Ｆ １０２−１及び１０２−２の数（＝２）は、ライン側Ｉ／Ｆ １０３−１に収容可能なクライアント側Ｉ／Ｆの数（＝４）以下である。このため、Ｓ３０２で、制御部１１０は、ライン側Ｉ／Ｆ １０３−１にクライアント側Ｉ／Ｆ １０２−１及び１０２−２を収容可能であると判定する。
【００４９】
その結果、Ｓ３０６で、制御部１１０は、ライン側Ｉ／Ｆ １０３−１の伝送速度を、クライアント側Ｉ／Ｆ １０２−１及び１０２−２に対応するクライアント信号をライン信号に収容可能な伝送速度に設定する。更に、制御部１１０は、Ｓ３０７で、クライアント側Ｉ／Ｆ １０２−１及び１０２−２を、クロスコネクトスイッチ１０１のポート１及び２を使用してライン側Ｉ／Ｆ １０３−１に接続させる。
【００５０】
（２）クライアント側Ｉ／Ｆ １０２−３及び１０２−４の接続
次に、制御部１１０は、クライアント側Ｉ／Ｆ １０２−３及び１０２−４をライン側Ｉ／Ｆ １０３−１に接続すべきことを示す命令を、ＮＷ管理システムから受信する。ここで、ライン側Ｉ／Ｆ １０３−１に接続されるクライアント側Ｉ／Ｆ １０２−１〜４の数（＝４）は、ライン側Ｉ／Ｆ １０３−１に収容可能なクライアント側Ｉ／Ｆの数（＝４）以下である。このため、Ｓ３０２で、制御部１１０は、ライン側Ｉ／Ｆ １０３−１にクライアント側Ｉ／Ｆ １０２−３及び１０２−４を収容可能であると判定する。
【００５１】
その結果、Ｓ３０６で、制御部１１０は、ライン側Ｉ／Ｆ １０３−１の伝送速度を、クライアント側Ｉ／Ｆ １０２−１〜４に対応するクライアント信号をライン信号に収容可能な伝送速度に設定する。即ち、ライン側Ｉ／Ｆ １０３−１の伝送速度を、既に収容しているクライアントＩ／Ｆ １０２−１及び１０２−２に対応するクライアント信号に加えて、クライアント側Ｉ／Ｆ １０２−３及び１０２−４に対応するクライアント信号をライン信号に収容可能な伝送速度に設定する。更に、制御部１１０は、Ｓ３０７で、クライアント側Ｉ／Ｆ １０２−３及び１０２−４を、クロスコネクトスイッチ１０１のポート３及び４を使用してライン側Ｉ／Ｆ １０３−１に接続させる。その後、制御部１１０は、処理をＳ３０１に戻す。
【００５２】
（３）クライアント側Ｉ／Ｆ １０２−５の接続
次に、制御部１１０は、クライアント側Ｉ／Ｆ １０２−５をライン側Ｉ／Ｆ １０３−１に接続すべきことを示す命令を、ＮＷ管理システムから受信する。ここで、ライン側Ｉ／Ｆ １０３−１に接続されるクライアント側Ｉ／Ｆ １０２−１〜５の数（＝５）は、ライン側Ｉ／Ｆ １０３−１に収容可能なクライアント側Ｉ／Ｆの数（＝５）を上回る。このため、Ｓ３０２で、制御部１１０は、ライン側Ｉ／Ｆ １０３−１にクライアント側Ｉ／Ｆ １０２−５を収容不可能であると判定し、処理をＳ３０３に進める。
【００５３】
Ｓ３０３で、制御部１１０は、ライン側Ｉ／Ｆ １０３−１に、クライアント側Ｉ／Ｆ １０２−５を新たに収容するための容量が不足していることを示す警報を、通信部１２０を介してＮＷ管理システムに出力し、処理をＳ３０１に戻す。
【００５４】
本実施例では、ライン側Ｉ／Ｆ １０３−１に接続するクライアント側Ｉ／Ｆの数を増加させる場合に、ライン側Ｉ／Ｆ １０３−１に収容可能なクライアント側Ｉ／Ｆの数（回線数）に基づいて、接続するクライアント側Ｉ／Ｆの数を制御する。これにより、ライン側Ｉ／Ｆが収容可能な回線数に適合した数のクライアント側Ｉ／Ｆをライン側Ｉ／Ｆに接続可能となる。
【００５５】
なお、上述の実施例１及び２は、適宜組み合わせて実施することも可能である。具体的には、Ｓ３０２で、制御部１１０は、
・ライン側Ｉ／Ｆ １０３−１に接続される（増加後の）クライアント側Ｉ／Ｆに対応するクライアント信号の伝送速度の総和が、ライン側Ｉ／Ｆ １０３−１の最大伝送速度以下であること、及び
・そのクライアント側Ｉ／Ｆの数が、ライン側Ｉ／Ｆ １０３−１が接続されているクロスコネクトスイッチ１０１のポート数以下であること、
の両方が満たされる場合に、ライン側Ｉ／Ｆ １０３−１にクライアント側Ｉ／Ｆを収容可能と判定し、それ以外の場合、収容不可能と判定してもよい。
【００５６】
以上説明したように、上述の種々の実施形態（実施例）によれば、ライン側Ｉ／Ｆの、伝送速度、収容可能な回線数等の伝送容量に適合した数のクライアント側Ｉ／Ｆを、ライン側Ｉ／Ｆに接続可能となる。また、ライン側Ｉ／Ｆの伝送容量に適合した数のクライアント側Ｉ／Ｆをライン側Ｉ／Ｆに収容可能となるため、ライン側のリンク利用率を向上させることが可能となる。
【図１】
2014192739.tif 000003
【図２】
2014192739.tif 000004
【図３】
2014192739.tif 000005
【図４】
2014192739.tif 000006
【図５】
2014192739.tif 000007